(57)【要約】【課題】連結ピンを別部材とすることなく、必要に応じて連結ピンの機能を発揮させることが可能な足場用梁枠を提供すること。【解決手段】足場用梁枠（梁枠Ａ）を構成する支柱１０の内部に、該支柱１０の上端側に露出可能な連結ピン２０を収納しておき、該連結ピン２０を介して、梁枠Ａの上方に設ける上方足場Ｄの支柱材Ｄ１を接続する。【選択図】図１
2018145712.tif 000002
【特許請求の範囲】
【請求項１】
足場間に架設する足場用梁枠であって、
足場用梁枠を構成する支柱の内部に、該支柱の上端側に露出可能な連結ピンを収納してあり、
前記支柱の上端から露出した連結ピンを介して、足場用梁枠の上方に設ける足場の支柱材を接続可能としたことを特徴とする、
足場用梁枠。
【請求項２】
前記支柱は、該支柱の周壁に第１の貫通孔を有し、
前記連結ピンは、該連結ピンの周壁に第２の貫通孔を有し、
前記連結ピンに、該連結ピンの外側に付勢した突起を有するロックピンを収納してあり、
前記連結ピンの露出時には、前記ロックピンの突起が、前記第１の貫通孔および第２の貫通孔が互いに重なり合う位置で両貫通孔内に突出することで、前記支柱に対して前記連結ピンを位置決めしており、
前記ロックピンの突起を内側へ押圧することで、前記支柱に対する前記連結ピンの位置決めを解除して該連結ピンを移動させることで、前記支柱の内部に前記連結ピンを収納可能に構成したことを特徴とする、
請求項１に記載の足場用梁枠。
【請求項３】
前記支柱は、該支柱の周壁にボルト孔をさらに有し、
前記連結ピンは、該連結ピンの周壁に軸方向を長手方向とする長穴をさらに有し、
前記支柱の外側から前記ボルト孔と前記長穴に挿通可能な、締結具を設けてあり、
前記締結具の相対移動を前記長穴内に規制することで、前記支柱に対する前記連結ピンの移動を制限していることを特徴とする、
請求項２に記載の足場用梁枠。
【発明の詳細な説明】
【技術分野】
【０００１】
本発明は、仮設足場の構築において開口部を設ける際に、該開口部を挟んだ両側の足場間に架け渡すように設置する足場用梁枠に関する。
【背景技術】
【０００２】
足場用梁枠として、以下の特許文献１に記載の発明が知られている。
特許文献１に記載の発明は、上弦材と、下弦材と、上下両弦材間に介設される斜材とによって形成される足場用梁枠において、梁枠の前記斜材間に設けた支柱材の上端部を開口しておき、この開口部に上方側の足場支柱を継ぎ足すための連結ピンを着脱可能に取り付けた構成が開示されている。
該構成によれば、梁枠に連結ピンを溶接していた従来技術と比較して、連結ピンが作業員にとって危険な障害物になりにくい、という点で有益である。
【先行技術文献】
【特許文献】
【０００３】
【特許文献１】特許第５１１４２９２号公報
【発明の概要】
【発明が解決しようとする課題】
【０００４】
しかし、特許文献１のように連結ピンを脱着可能な別部材とすると、脱着作業の際に連結ピンが作業員の手からこぼれて落下事故の恐れが生じること、連結ピンは小さな部材であるため紛失しやすく、部材管理が大変となること、などの懸念が生じる。
【０００５】
よって、本発明は、連結ピンを別部材とすることなく、必要に応じて連結ピンの機能を発揮させることが可能な足場用梁枠の提供を少なくとも目的の一つとするものである。
【課題を解決するための手段】
【０００６】
上記課題を解決すべくなされた本願の第１発明は、足場間に架設する足場用梁枠であって、足場用梁枠を構成する支柱の内部に、該支柱の上端側に露出可能な連結ピンを収納してあり、前記支柱の上端から露出した連結ピンを介して、足場用梁枠の上方に設ける足場の支柱材を接続可能としたことを特徴とする。
また、本願の第２発明は、前記第１発明において、前記支柱は、該支柱の周壁に第１の貫通孔を有し、前記連結ピンは、該連結ピンの周壁に第２の貫通孔を有し、前記連結ピンに、該連結ピンの外側に付勢した突起を有するロックピンを収納してあり、前記連結ピンの露出時には、前記ロックピンの突起が、前記第１の貫通孔および第２の貫通孔が互いに重なり合う位置で両貫通孔内に突出することで、前記支柱に対して前記連結ピンを位置決めしており、前記ロックピンの突起を内側へ押圧することで、前記支柱に対する前記連結ピンの位置決めを解除して該連結ピンを移動させることで、前記支柱の内部に前記連結ピンを収納可能に構成したことを特徴とする。
また、本願の第３発明は、前記第２発明において、前記支柱は、該支柱の周壁にボルト孔をさらに有し、前記連結ピンは、該連結ピンの周壁に軸方向を長手方向とする長穴をさらに有し、前記支柱の外側から前記ボルト孔と前記長穴に挿通可能な、締結具を設けてあり、前記締結具の相対移動を前記長穴内に規制することで、前記支柱に対する前記連結ピンの移動を制限していることを特徴とする。
【発明の効果】
【０００７】
本発明によれば、以下に記載する効果を奏する。
（１）必要に応じて連結ピンを引き出すことができる。
足場用梁枠を構成する支柱から連結ピンを引き出して露出させることで、必要に応じて連結ピンの機能を発揮させることができる。
（２）連結ピンの紛失等のおそれが無い。
連結ピンを支柱の内部に収納することができるため、連結ピンの紛失や落下の恐れがない。
【図面の簡単な説明】
【０００８】
【図１】本発明に係る足場用梁枠の設置イメージを示す概略斜視図。
【図２】本発明に係る足場用梁枠の各種概略図。
【図３】本発明に係る足場用梁枠の動作イメージを示す概略断面図。
【発明を実施するための形態】
【０００９】
以下、図面を参照しながら、本発明の実施例について説明する。
【実施例】
【００１０】
＜１＞全体構成
図１に、本発明に係る足場用梁枠Ａの設置イメージを示す。
本発明に係る足場用梁枠Ａ（以下、単に「梁枠Ａ」ともいう。）は、仮設足場の構築において開口部Ｂを設ける際に、該開口部Ｂを挟んだ両側の足場Ｃの間に架け渡すように設置する部材である。
そして、本発明に係る足場用梁枠Ａは、足場用梁枠Ａを構成する支柱１０の内部に、該支柱１０の上端側に露出可能な連結ピン２０を収納した構成とし、前記支柱１０の上端から露出した連結ピン２０を介して、足場用梁枠Ａの上方に設ける足場（上方足場Ｄ）の支柱材Ｄ１を接続可能としたことを特徴とする。
以下、図２，３を参照しながら、連結ピン２０の露出・収納可能な構造の一例について説明する。
【００１１】
＜２＞支柱
支柱１０は、梁枠Ａの構成部材として機能しつつ、連結ピン２０の鞘体としても機能する中空状の部材である。
図２（ａ）は、本発明に係る足場用梁枠Ａにおいて、連結ピン２０が支柱１０から露出状態を表した部分正面図であり、図２（ｂ）は、図２（ａ）におけるＩ−Ｉ視した概略図、図２（ｃ）は、図２（ａ）におけるＩＩ−ＩＩ断面図である。
【００１２】
＜２．１＞第１の貫通孔
図２（ｂ）に示すように、支柱１０は、支柱１０の軸方向と直交する方向に、該支柱１０の周壁を貫通してなる第１の貫通孔１１を二箇所設けてある。
【００１３】
＜２．２＞ボルト孔
図２（ｂ）に示すように、支柱１０は、さらに、平面視して第１の貫通孔１１の貫通方向と直交する方向に、支柱１０の周壁を貫通してなるボルト孔１２を二箇所有している。
支柱１０の軸方向における、第１の貫通孔１１とボルト孔１２の位置関係は特段限定しない。
【００１４】
＜２．３＞支柱の上端処理
図２（ｂ）に示すように、本発明では、支柱１０の上端を上弦材Ａ１から突出させて、梁枠Ａの上方に足場板などを敷設する際に支障が無いよう構成している。
【００１５】
＜３＞連結ピン
連結ピン２０は、梁枠Ａの上方に設置する足場（上方足場Ｄ）の支柱１０と連結することで、梁枠Ａに上方足場Ｄを固定するための中空状の部材である。
連結ピン２０は、支柱１０の内径とほぼ同じもしくはより小さな外径を有する部材で構成する。
【００１６】
＜３．１＞第２の貫通孔
連結ピン２０には、さらに、連結ピン２０の周壁を貫通してなる第２の貫通孔２１を二箇所設けてある。
図２（ｂ）に示すように、連結ピン２０に形成した第２の貫通孔２１は、それぞれ支柱１０に形成した第１の貫通孔１１と重なって、各貫通孔が連通した状態を呈している。
【００１７】
＜３．２＞長穴
図２（ｃ）に示すように、連結ピン２０は、さらに長穴２２を二箇所設けてある。
長穴２２は、平面視して第１の貫通孔１１の貫通方向と直交する方向に連結ピン２０の周壁を貫通してなり、連結ピン２０の軸方向に所定長さを呈している。
支柱１０の軸方向における、第２の貫通孔２１と長穴２２の位置関係は特段限定しない。
【００１８】
＜３．３＞上方足場との連結態様
連結ピン２０の先端部分には、上方足場Ｄの支柱材Ｄ１に差し込む際に両者をロックする公知のロック機構を設けておくことができる。なお、該ロック機構が後述する連結ピン２０の支柱１０内部への収納動作を妨げてはならないことは言うまでも無い。
【００１９】
＜４＞ロックピン
ロックピン３０は、支柱１０に対して連結ピン２０の露出状態を維持するように両者を位置決めするための部材である。
ロックピン３０は、連結ピン２０の内部に収納可能な大きさを有する板バネ３１と、該板バネ３１の両端から外側に突出する二つの突起３２と、から構成する。
【００２０】
＜４．１＞板バネ
板バネ３１は略Ｕ字状に折曲した板材からなり、前記Ｕ字状の開放部を狭める方向に押圧する際に、該開放部が拡張する方向へと復元しようとする弾性力を発揮する部材である。
【００２１】
＜４．２＞突起
突起３２は、板バネ３１の両端から外側に突出するように形成してある部材である。
突起３２は、前記板バネ３１の弾性力でもって、前記連結ピン２０に設けた第２の貫通孔２１に挿通した状態を維持するように、外側へと付勢されている。
【００２２】
＜５＞締結具
締結具４０は、前記支柱１０に対し、前記連結ピン２０を摺動自在かつ分離しない態様で連結するための部材である。
【００２３】
＜５．１＞ボルト／ナット
本実施例では、締結具４０を、支柱１０の直径よりも長いネジ部を有するボルト４１と、前記ボルト４１に螺合可能なナット４２で構成している。
ボルト４１は、支柱１０の一方のボルト孔１２から、連結ピン２０の二箇所の長穴２２、支柱１０の他方のボルト孔１２を順に経由するように挿通し、他方のボルト孔１２から露出した先端部分をナット４２で螺合することで、前記支柱１０に対し前記連結ピン２０が分離されないように連結している。
上記構成によって、前記連結ピン２０の長穴２２の長さの分だけ、連結ピン２０を支柱１０に対して軸方向に相対移動させることができる。
【００２４】
＜６＞動作イメージ
図３を参照しながら、本発明に係る足場用梁枠Ａでの連結ピン２０の動作イメージについて説明する。
【００２５】
＜６．１＞連結ピンの露出状態（図３（ａ））
図３（ａ）に、連結ピン２０が露出した状態で支柱１０にロックされている状態を示す。
連結ピン２０の内部に収納されたロックピン３０の突起３２は、板バネ３１によって外側に付勢されており、支柱１０に設けた第１の貫通孔１１と、連結ピン２０に設けた第２の貫通孔２１が重なる位置で、突起３２が両貫通孔に挿通された状態を維持しており、前記支柱１０に前記連結ピン２０が位置決めされた状態を呈している。
【００２６】
この連結ピン２０が支柱１０にロックされた状態で、上方足場Ｄの支柱材Ｄ１を連結ピン２０に差し込むことにより、上方足場Ｄを梁枠Ａの上方に設置することができる。
このとき、ボルト４１は、連結ピン２０の長穴２２の下縁側に位置した状態である。
【００２７】
＜６．２＞ロックピンの解除／連結ピンの移動（図３（ｂ））
梁枠Ａの設置時や解体時など、連結ピン２０が支柱１０から露出した状態を避けたい場合には、連結ピン２０を支柱１０の内部に収納する作業を行う。
まず、ロックピン３０の突起３２を内側に押し込み、突起３２と、支柱１０の第１の貫通孔１１との係止状態を解除する。
この係止状態の解除により、連結ピン２０は支柱１０との間を移動自在となり、連結ピン２０の先端を押圧することで、連結ピン２０を支柱１０の内部へと徐々に収納させていくことができる。
この連結ピン２０の移動長は、前記連結ピン２０の長穴２２内を摺動するボルト４１の摺動長に相当する。
ロックピン３０の突起３２は、支柱１０の内壁と接するだけであり、摺動を阻害することはない。
また、ボルト４１が長穴２２内の摺動に限られていることから、支柱１０内を連結ピン２０が回転してしまうことも無い。
【００２８】
＜６．３＞連結ピンの収納完了（図３（ｃ））
連結ピン２０の移動を進めて行くにつれて、ボルト４１が連結ピン２０の長穴２２の上縁側に達し、連結ピン２０の移動が遮られることになる。
この状態で、連結ピン２０の支柱１０への収納作業が完了することとなる。
【００２９】
＜６．４＞連結ピンの引き出し（図３（ｃ）〜図３（ａ））
上方足場Ｄの連結作業を開始する際など、連結ピン２０を支柱１０から露出したい場合には、連結ピン２０の先端を引っ張って連結ピン２０の引き出し作業を行う。
このとき、ボルト４１は、連結ピン２０の長穴２２の下縁側に位置した状態まで引き出された段階で、ロックピン３０の突起３２は、再度第１の貫通孔１１と、第２の貫通孔２１が重なる位置で両貫通孔に挿通した状態を維持し、前記支柱１０に対し前記連結ピン２０を位置決めした状態となる。
【００３０】
＜７＞まとめ
このように、本発明に係る足場用梁枠によれば、必要に応じて連結ピンを引き出すことができ、足場の設置時や解体時に連結ピンの紛失や落下の恐れがない。
また、連結ピンの移動が軸方向に限られていることから、ロックピンの突起による支柱と連結ピンの位置決めが、連結ピンの回転によって阻害される事も無い。
【符号の説明】
【００３１】
Ａ    梁枠
Ｂ    開口部
Ｃ    足場
Ｄ    上方足場
Ｄ１  支柱材
１０  支柱
１１  第１の貫通孔
１２  ボルト孔
２０  連結ピン
２１  第２の貫通孔
２２  長穴
３０  ロックピン
３１  板バネ
３２  突起
４０  締結具
４１  ボルト
４２  ナット
Ａ１  上弦材
【図１】
2018145712.tif 000003
【図２】
2018145712.tif 000004
【図３】
2018145712.tif 000005